(57)【要約】【課題】ユーザの負担を低減できる丁合装置を提供する。【解決手段】新聞販売店等において、新聞に挟む広告束を作成するために使用され、複数の配達地区に対応した部数の丁合を順次行うことが可能な丁合装置である。本発明の丁合装置は、広告名称を各給紙部に割り当て可能とし、その割り当て情報を、地区ごとに設定することができる。地区の丁合が完了すると、次の地区の丁合を行う前に、前回給紙を行った地区において割り当てられた用紙識別情報と、次の地区において割り当てられた用紙識別情報とを、給紙部ごとに比較する用紙識別情報比較部７８を備える。さらに、用紙識別情報比較部７８による比較により不一致とされた給紙部について、用紙を載せ替えたか否かを判定する用紙載せ替え判定部７９を備え、用紙を載せ替えていない場合は載せ替え警告を表示する。【選択図】図１４
2019064822.tif 000002
【特許請求の範囲】
【請求項１】
複数の給紙部から送り出される用紙を重ね合わせて丁合セットを作成する丁合処理を実行する丁合装置であって、
複数の地区に各々対応させた要丁合部数を記憶可能であるとともに、用紙を識別するための用紙識別情報を該用紙が積載されるべき給紙部に割り当てた割り当て情報を各地区ごとに記憶可能な記憶部と、
１つの地区に設定された要丁合部数分の丁合セットの作成を行った後に、所定の順序に基づいて決定される次の地区に設定された要丁合部数分の丁合セットの作成を開始するように制御するとともに、前記次の地区の丁合セットの作成が開始される前に、少なくとも１つの給紙部において、該給紙部がそれ以前の最後に給紙を行った地区の割り当て情報において該給紙部に割り当てられた用紙識別情報と、次の地区において該給紙部に割り当てられた用紙識別情報とを比較し、一致しているか否かを判定する用紙識別情報比較部と、該用紙識別情報比較部により不一致と判定された給紙部について、該給紙部がそれ以前の最後に給紙を行った地区の丁合セットの作成完了以後、該給紙部において用紙の載せ替えが行われたか否かを判定する用紙載せ替え判定部とを含む制御部と、
該用紙載せ替え判定部において用紙の載せ替えが行われていないと判定された場合に、警告を表示する表示部と、
を有することを特徴とする丁合装置
【発明の詳細な説明】
【技術分野】
【０００１】
本発明は、丁合装置に関する。
【背景技術】
【０００２】
新聞に挟む広告を配達単位の広告束にまとめるために丁合装置が利用されている。一般に、丁合装置は、積載部に積載された用紙を１枚ずつ送り出す給紙部を複数備え、各給紙部から送り出された用紙を搬送しながら重ねあわせることにより、広告束を作成する（例えば、特許文献１）。
【先行技術文献】
【特許文献】
【０００３】
【特許文献１】特開２０１３−１８６０９号公報
【発明の概要】
【発明が解決しようとする課題】
【０００４】
新聞販売店では最低限の配布枚数で効率のよい広告効果を得ることが望まれているため、配達地区ごとに異なる広告の束を作成するということを行っており、近年、その地区の指定が細分化する傾向にある。特許文献１の装置では、各給紙部に積載された広告の広告名称（チラシ名）を設定することができ、さらに、同一給紙部に地区ごとに異なる広告名称を設定することができるとともに、その設定状況を一覧表示できるようになっている。特許文献１の装置では、地区ごとに順次丁合を行うとき、ある給紙部において、直前に丁合が完了した地区と次に丁合を行う地区とで広告名称が異なっている場合に、広告を載せ替えるように警告が表示される。しかし、特許文献１の装置では、実際に広告を載せ替えたか否かの検知および判定を行っていないため、載せ替えを忘れたままスタート操作を行うと、次の地区の丁合を開始することが可能であり、その結果、丁合ミスを発生させてしまうことがあり、その修正作業は大きな負担になっていた。
【０００５】
本発明はこうした状況に鑑みてなされたものであり、その目的は、丁合ミスの発生を防ぐことによりユーザの負担を低減できる丁合装置の提供にある。
【課題を解決するための手段】
【０００６】
上記課題を解決するために、本発明のある態様の丁合装置は、複数の給紙部から送り出される用紙を重ね合わせて丁合セットを作成する丁合処理を実行する丁合装置であって、複数の地区に各々対応させた要丁合部数を記憶可能であるとともに、用紙を識別するための用紙識別情報を該用紙が積載されるべき給紙部に割り当てた割り当て情報を各地区ごとに記憶可能な記憶部と、１つの地区に設定された要丁合部数分の丁合セットの作成を行った後に、所定の順序に基づいて決定される次の地区に設定された要丁合部数分の丁合セットの作成を開始するように制御するとともに、次の地区の丁合セットの作成が開始される前に、少なくとも１つの給紙部において、該給紙部がそれ以前の最後に給紙を行った地区の割り当て情報において該給紙部に割り当てられた用紙識別情報と、次の地区において該給紙部に割り当てられた用紙識別情報とを比較し、一致しているか否かを判定する用紙識別情報比較部と、該用紙識別情報比較部により不一致と判定された給紙部について、該給紙部がそれ以前の最後に給紙を行った地区の丁合セットの作成完了以後、該給紙部において用紙の載せ替えが行われたか否かを判定する用紙載せ替え判定部とを含む制御部と、該用紙載せ替え判定部において用紙の載せ替えが行われていないと判定された場合に、警告を表示する表示部と、を有する。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、丁合ミスの発生を防ぐことによりユーザの負担を低減できる丁合装置を提供できる。
【図面の簡単な説明】
【０００９】
【図１】実施の形態に係る丁合装置を示す斜視図である。
【図２】丁合装置の内部構造を示す模式図である。
【図３】サブ操作部を示す拡大図である。
【図４】メイン画面を示す図である。
【図５】地区設定画面を示す図である。
【図６】地区名登録画面を示す図である。
【図７】地区別使用不使用設定一覧画面を示す図である。
【図８】広告名称割り当て画面を示す図である。
【図９】地区選択画面を示す図である。
【図１０】地区別使用不使用設定画面を示す図である。
【図１１】半端部数設定画面を示す図である。
【図１２】広告名称登録画面を示す図である。
【図１３】棚設定画面を示す図である。
【図１４】制御部の機能構成を示すブロック図である。
【図１５】４地区分の丁合処理の一例を示す図である。
【図１６】給紙部１４の変形例を示す図である。
【図１７】給紙部１４の変形例を示す図である。
【発明を実施するための形態】
【００１０】
以下、各図面に示される同一または同等の構成要素、部材、処理には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は、実施の形態に係る給紙部を備える丁合装置１０を示す斜視図である。図２は、丁合装置１０の内部構造を示す模式図である。丁合装置１０は、新聞販売店等において、新聞に挟む広告束を作成するために使用される。丁合装置１０は、筐体１２と、給紙部１４Ａ〜１４Ｐと、挟み用給紙部１６と、搬送機構１８と、挟み部２０と、排出部２２と、積載部２４と、メイン操作部５０と、制御部７０と、を備える。
【００１２】
給紙部１４Ａ〜１４Ｈは、筐体１２の左側面に、この順に下側から並んでいる。給紙部１４Ｉ〜１４Ｐは、筐体１２の右側面に、この順に上側から並んでいる。以下、給紙部１４Ａ〜１４Ｐをまとめていうときや、特に区別しないときには単に「給紙部１４」とよぶ。
【００１３】
各給紙部１４はそれぞれ、給紙トレイ２６と、用紙有無検知センサ２７と、給紙機構２８と、サブ操作部５２と、を含む。給紙トレイ２６には、複数枚の用紙（本実施の形態では広告）が重ねられた状態で積載される。給紙トレイ２６は、給紙機構２８に近づくにしたがって下がるよう傾斜している。用紙有無検知センサ２７は、本実施の形態では反射型光学センサであり、給紙トレイ２６に用紙が積載されているか否かを検知する。
【００１４】
給紙機構２８は、制御部７０からの信号に基づいて、給紙トレイ２６に積載された用紙を搬送機構１８に送り出す。以下では、給紙トレイ２６に積載された用紙のうちの最上位の用紙を送り出すことを「給紙」ともいう。給紙機構２８は特に、他の給紙部１４の給紙機構２８から送り出された用紙とメイン搬送機構３６（後述）において重なり合うようなタイミングで用紙を送り出す。
【００１５】
サブ操作部５２には所定の操作ボタンが配置される。図３は、サブ操作部５２を示す拡大図である。サブ操作部５２は、使用不使用設定ボタン５４と、連段設定ボタン５６と、エラーランプ５７を含む。使用不使用設定ボタン５４は、その給紙部１４に給紙させる（すなわちその給紙部１４を使用する）「単」設定と、その給紙部１４から給紙させない（すなわちその給紙部１４を使用しない）「停」設定とを切り替える場合に押下される。
エラーランプ５７は、このサブ操作部５２を含む給紙部１４においてエラーが発生した場合に点灯する。
【００１６】
連段設定ボタン５６は、その給紙部１４を「連段グループ」に含めるか否かの連段設定を切り替える場合に押下される。ここで、連段グループとは、同じグループに属する給紙部には同じ用紙が積載されていることを前提に、グループに属する給紙部をひとくくりにして制御することを許容する設定である。つまり、連段グループに含まれる複数の給紙部がひとつの給紙部として取り扱われる。具体的には、連段グループに属する複数の給紙部のうちの１つの給紙部が給紙し、その給紙部の用紙が無くなると、同じ連段グループの他の給紙部が給紙する。これにより、給紙部の用紙無しによって丁合装置１０が非稼働となる時間が発生するのを抑止できる。
【００１７】
また、本実施の形態では、使用不使用設定ボタン５４および連段設定ボタン５６の両方を実質的に同時に長押しすることにより、その給紙部１４で紙無しが検知された場合に丁合処理を停止し、用紙が補充されると丁合処理を再開可能とする「紙無し停止設定」と、その給紙部１４で紙無しが検知されても、そのまま又は一旦停止して所定の再開操作がなされると、紙無しが検知された給紙部１４以外の給紙部１４から給紙して丁合処理を継続する「紙無し非停止設定」と、を切り替えることができる。
【００１８】
図１、２に戻り、搬送機構１８は、複数のサブ搬送機構３４と、メイン搬送機構３６と、を含む。複数のサブ搬送機構３４は、各給紙部１４に対応して設けられ、対応する給紙部１４から送り出された用紙をメイン搬送機構３６に搬送する。メイン搬送機構３６は、筐体１２内を上下に延在するよう設けられる。メイン搬送機構３６は、各サブ搬送機構３４から搬送されてきた用紙を下方へ搬送する。各給紙部１４から送り出された用紙は、このメイン搬送機構３６において重なり合う。つまり、メイン搬送機構３６において丁合セットが形成される。
【００１９】
挟み用給紙部１６は、給紙部１４Ａの下方に配置される。挟み用給紙部１６は、給紙トレイ３０と、給紙機構３２と、を含む。給紙トレイ３０、給紙機構３２はそれぞれ、給紙トレイ２６、給紙機構２８と同様の構成を有する。給紙トレイ３０には、メイン搬送機構３６によって搬送されてくる用紙の束を挟むための用紙（以下、「挟み用紙」という）が積載される。給紙機構３２は、制御部７０からの信号に基づいて、給紙トレイ３０に積載された挟み用紙を挟み部２０に送り出す。
【００２０】
挟み部２０は、折り板３８と、ストッパ４０と、折りナイフ４２と、折りローラ４４と、を含む。折り板３８は、給紙部１４Ｐの下方に設けられる。挟み用給紙部１６から送り出された挟み用紙は、折り板３８上に搬送され、その先端がストッパ４０に突き当たることによって停止する。挟み用紙は特に、その中央が搬送機構１８の下方に位置した状態で停止する。メイン搬送機構３６を下降してきた用紙の束は、この挟み用紙に突き当たる。このタイミングで折りナイフ４２が下降し、挟み用紙の中央が折りローラ４４に巻き込まれて２つに折りたたまれるとともに、搬送機構１８を下降してきた用紙の束がその間に入り込む。
【００２１】
排出部２２は、搬送ベルト４６と、排出ローラ４８と、を含む。搬送ベルト４６は、挟み用紙に挟み込まれた用紙の束を排出ローラ４８に向けて搬送する。排出ローラ４８は、搬送ベルト４６によって搬送されてきた用紙の束を積載部２４に排出する。
【００２２】
筐体１２の前面側にはメイン操作部５０が設けられている。メイン操作部５０はタッチパネル式の表示部を有する。表示部には操作画面が表示され、ユーザはこの操作画面を介して、丁合セットを作成する処理（以下、「丁合処理」とも呼ぶ）に関する情報を入力する。制御部７０は、操作画面に対するユーザの入力にしたがって、給紙部１４と、挟み用給紙部１６と、搬送機構１８と、挟み部２０と、排出部２２と、を制御する。
【００２３】
図４〜図１３は、メイン操作部５０の表示部に表示される操作画面を示す。これら操作画面を操作することにより、「地区カウンタモード」、「部数指定カウンタモード」の動作モードのうちのいずれかの動作モードで当該丁合装置１０を動作させて、所望の部数の丁合セットを作成することができる。以下、図４〜１３を参照しつつ、２つの動作モードについて説明する。
【００２４】
＜地区カウンタモード＞  
地区カウンタモードでは、予め登録された複数の地区のうちの１つの地区の地区名と、その地区に対応付けて登録された作成すべき丁合セットの部数（以下、「要丁合部数」と呼ぶ）とが表示部に表示され、所定のスタート操作を行うと表示されている地区の丁合処理が開始され、要丁合部数だけ丁合セットを作成して停止する。表示部には次の地区の地区名とその要丁合部数とが表示され、スタート操作を行うとその地区の丁合処理が開始され、要丁合部数だけ丁合セットを作成して停止する。登録された地区の分だけ、これが繰り返される。以下、地区カウンタモードで動作させるための操作（Ａ１〜Ａ１０）について説明する。
【００２５】
（Ａ１）地区名、要丁合部数の設定
Ａ１１：図４のメイン画面１００または他の操作画面において地区タブ９２をタッチして、図５の地区設定画面１２０を表示させる。
Ａ１２：地区パターン表示欄１２１に表示されるＰ１〜Ｐ７の７つの地区パターンからいずれかの地区パターンを選択する。Ｐ１〜Ｐ７の各地区パターンには、後述の手順の通り、それぞれ複数の地区名、要丁合部数を設定できる。ここで、例えば地方では、１つの新聞販売店が複数の新聞社の新聞を配達することがある。そして、同じ配達範囲でも新聞社によって地区分けが異なることがある。このような場合に、Ｐ１〜Ｐ７の地区パターンのそれぞれを新聞社に対応づけて使用することが考えられる。なお、Ｐ１〜Ｐ７の地区パターン名称を変更可能として、新聞社の名前を設定できるようにしてもよい。
【００２６】
Ａ１３：地区名枠１２２をタッチして、図６の地区名登録画面１４０を表示させる。
Ａ１４：地区名登録画面１４０の地区名欄１４１に登録する地区名をキーボードを使用して入力し、戻るキー１４２で図５の地区設定画面１２０に戻る。
Ａ１５：Ａ１４で入力した地区の部数枠１２３に要丁合部数を入力する。具体的には、部数枠１２３をタッチするとテンキーが表示されるので、テンキーを介して要丁合部数を入力する。
Ａ１６：必要に応じて順番枠１２４をタッチして、順番を設定する。本実施の形態では、タッチした順に順番が設定される。順番が設定されていない地区は、順番が設定された地区の丁合処理後に、地区番号順に丁合処理が実行される。
Ａ１７：設定が必要な地区の数だけＡ１３〜Ａ１６を繰り返す。
Ａ１８：設定が必要な地区パターンの数だけＡ１２〜１７を繰り返す。
【００２７】
（Ａ２）広告名称の登録
Ａ２１：図４のメイン画面１００または他の操作画面においてチラシタブ９４をタッチして、図１２の広告名称登録画面２６０を表示させる。
Ａ２２：有効地区パターン表示欄２６１に表示されるＰ１〜Ｐ７の７つの地区パターンから、広告名称を有効とする有効地区パターンを選択する。
Ａ２３：参照地区パターン表示欄２６２をタッチして、Ａ２２で選択された有効地区パターンの中から１つの地区パターンを選択する。
Ａ２４：広告名称表示欄２６３に登録する広告名称をキーボードを使用して入力する。
Ａ２５：棚設定表示欄２６４にタッチして、各地区の使用不使用設定を行う。
Ａ２６：必要に応じ、要丁合部数のうちの一部の部数の丁合セットにのみ含まれるよう給紙する部分給紙の設定（すなわち部分給紙設定）を行う。本実施の形態では、部分給紙設定として、半端部数設定を設定できる。その場合は、半端部数表示枠２６５をタッチして、図１１の半端部数設定画面２４０をポップアップ表示させ、Ａ９６（後述）の通り設定する。
【００２８】
「半端部数設定」は、要丁合部数よりも少ない半端部数を設定された給紙部が、丁合処理の前半または後半に、その半端部数分のみ給紙する設定である。より具体的には、半端部数が設定された給紙部は、丁合指示に基づく丁合処理の開始から作成された丁合セットの部数が半端部数に到達するまで給紙し、それ以降の給紙を行わないか、または要丁合部数に到達するまでの残り部数が半端部数と同じになるまで給紙せず、それ以降に給紙する。
【００２９】
後述のＡ３５で広告名称を給紙部に割り当てたとき、Ａ２５、Ａ２６で設定した使用不使用設定、半端部数設定の内容が、各地区の設定として自動で反映される。
Ａ２７：各有効地区パターンについて、Ａ２３〜Ａ２６を繰り返す。
Ａ２８：設定が必要な広告名称の数だけ、Ａ２２〜Ａ２７を繰り返す。
【００３０】
（Ａ３）各給紙部への広告名称の割り当て（未割当の給紙部に割り当てる場合）
Ａ３１：図４のメイン画面１００または他の操作画面において地区タブ９２をタッチして、図５の地区設定画面１２０を表示させる。
Ａ３２：地区設定画面１２０の地区パターン表示欄１２１に表示されるＰ１〜Ｐ７の７つの地区パターンから地区パターンを選択する。
Ａ３３：棚設定一覧１２５をタッチして、図７の地区別使用不使用設定一覧画面１６０を表示させる。
Ａ３４：地区別使用不使用設定一覧画面１６０の広告名称表示欄１６１において、広告名称を割り当てる給紙部の広告名称表示枠をタッチする。すると、図８の広告名称割り当て画面１８０がポップアップ表示される。広告名称割り当て画面１８０のチラシ一覧１８１には、Ａ２で設定した広告名称が表示される。
Ａ３５：広告名称割り当て画面１８０においてチラシ一覧１８１の中から、Ａ３４でタッチした給紙部に積載した又はこれから積載する広告の広告名称を選んでタッチする。すると、Ａ３４でタッチした給紙部にその広告名称が割り当てられる。なお、Ａ２５、Ａ２６で設定した使用不使用設定、半端部数設定内容も、Ａ３４でタッチした給紙部の各地区の設定に自動で反映される。
Ａ３６：チラシ登録キー１８２をタッチすると、広告名称割り当て画面１８０が消えて図７の地区別使用不使用設定一覧画面１６０に戻る。
Ａ３７：割り当てが必要な広告名称の数だけ、Ａ３４〜Ａ３６を繰り返す。
Ａ３８：割り当てが必要な地区パターンの数だけ、Ａ３２〜Ａ３７を繰り返す。
【００３１】
（Ａ５）給紙部への広告名称の追加割り当て
すでに広告名称が割り当てられた給紙部に、さらに広告名称を追加割り当てする場合に実行される。１つの給紙部に２種以上の広告名称を割り当てることで、地区によって使い分けることができる。
Ａ５１：図４のメイン画面１００または他の操作画面において地区タブ９２をタッチして、図５の地区設定画面１２０を表示させる。
Ａ５２：地区設定画面１２０の地区パターン表示欄１２１に表示されるＰ１〜Ｐ７の７つの地区パターンから地区パターンを選択する。
Ａ５３：棚設定一覧１２５をタッチして、図７の地区別使用不使用設定一覧画面１６０を表示させる。
Ａ５４：地区別使用不使用設定一覧画面１６０の広告名称表示欄１６１において、広告名称を追加で割り当てる給紙部の広告名称表示枠をタッチする。すると、図８の広告名称割り当て画面１８０がポップアップ表示される。
Ａ５５：広告名称割り当て画面１８０において追加キー１８４をタッチする。
Ａ５６：チラシ一覧１８１の中から、追加割り当てする広告名称をタッチする。すると、Ａ５４でタッチした給紙部にその広告名称が追加で割り当てられる。また、図９の地区選択画面２００がポップアップ表示される。
【００３２】
Ａ５７：地区選択画面２００の地区表示欄２０１のいずれかの地区の表示枠にタッチする。タッチした表示枠の地区以降のすべての地区に、Ａ２５、Ａ２６で設定した使用不使用設定、半端部数設定内容が反映される。すなわち、タッチした表示枠の地区よりも前の地区は、追加する以前から割り当てられていた広告名称を給紙し、タッチした地区以後は、追加した広告名称から給紙する、という設定となる。
地区表示欄２０１の表示枠にタッチすると、地区選択画面２００が消えて図８の広告名称割り当て画面１８０に戻る。なお、地区選択画面２００において複数の地区をタッチ可能とし、タッチした地区にのみ広告名称が追加されるようにしてもよい。この場合、広告の追加を行う地区、行わない地区の選択の自由度が上がる。またこの場合、Ａ２５、Ａ２６で設定した使用不使用設定、半端部数設定内容は、タッチした地区のみに適用される。Ａ３５の後に、Ａ５５〜Ａ５７を行えば、Ａ３５で広告名称を設定した給紙部に、さらに広告名称が追加される。
Ａ５８：Ａ５５〜Ａ５７を繰り返し、Ａ５４でタッチした給紙部に対して必要な追加を行う。
Ａ５９：チラシ登録キー１８２をタッチすると、広告名称割り当て画面１８０が消えて図７の地区別使用不使用設定一覧画面１６０に戻る。
Ａ６０：登録したい広告名称の数分だけ、Ａ５４〜Ａ５８を繰り返す。
Ａ６１：登録したい地区パターンの数だけ、Ａ５２〜Ａ６０を繰り返す。
【００３３】
（Ａ８）使用不使用設定の変更および連段設定
Ａ８１：図４のメイン画面１００または他の操作画面において地区タブ９２をタッチして、図５の地区設定画面１２０を表示させる。
Ａ８２：地区設定画面１２０の地区パターン表示欄１２１に表示されるＰ１〜Ｐ７の７つの地区パターンから地区パターンを選択する。
Ａ８３：設定したい地区の棚設定枠１２６にタッチする。すると、図１０の地区別使用不使用設定画面２２０が表示され、選択した地区の使用不使用設定、半端部数設定、広告名称設定が表示される。
Ａ８４：棚モード表示欄２２２の表示枠にタッチして使用不使用設定および連段設定を行う。「停」から１回タッチすると「単」に設定変更される。「単」から１回タッチした場合は、１段上の給紙部（棚）が「単」であれば１段上の給紙部とまとめて連段グループを形成し、１段上の給紙部が「停」であれば「停」に設定変更され、１段上の給紙部がそれよりもさらに上の給紙部と連段グループをすでに形成していた場合はその連段グループに加わる。なお、図７の地区別使用不使用設定一覧画面１６０の棚モード表示欄の表示枠をタッチすることにより、同様に設定できる。図１０の地区別使用不使用設定画面２２０が表示された状態で、図３に示すサブ操作部５２の使用不使用設定ボタン５４と、連段設定ボタン５６とを操作して、同様に設定できてもよい。
Ａ８５：他に設定が必要な地区がある場合は、地区番号表示枠２２１の矢印にタッチして地区を選択する。すると、選択した地区の使用不使用設定、半端部数設定、広告名称設定が表示されるので、Ａ８４の設定を行う。
Ａ８６：戻るキー２２３をタッチすると、図５の地区設定画面１２０に戻る。
【００３４】
（Ａ９）半端部数設定
Ａ９１：図４のメイン画面１００または他の操作画面において地区タブ９２をタッチして、図５の地区設定画面１２０を表示させる。
Ａ９２：地区設定画面１２０の地区パターン表示欄１２１に表示されるＰ１〜Ｐ７の７つの地区パターンから地区パターンを選択する。
Ａ９３：設定したい地区の棚設定枠１２６にタッチして、図１０の地区別使用不使用設定画面２２０を表示させる。
Ａ９４：地区番号表示枠２２１の矢印にタッチし、地区を選択する。すると、選択した地区の使用不使用設定、半端部数設定、広告名称設定が表示される。
Ａ９５：設定対象の給紙部の半端部数表示枠２２４にタッチする。すると、図１１の半端部数設定画面２４０がポップアップ表示される。
Ａ９６：半端部数設定画面２４０において、前半２４３、後半２４４のいずれかをタッチする。前半２４３をタッチした場合、半端部数設定（地区の開始から設定部数まで給紙）となる。後半２４４をタッチした場合、半端部数設定（残数が設定部数に到達してから地区の終了まで給紙）となる。
Ａ９７：設定が必要な給紙部の数だけ、Ａ９５〜Ａ９６を繰り返す。
Ａ９８：閉じるボタン２４５にタッチすると半端部数設定画面２４０が消えて図５の地区設定画面１２０に戻る。
【００３５】
（Ａ１０）丁合処理
Ａ１０１：図４のメイン画面１００または他の操作画面において地区タブ９２をタッチして、図５の地区設定画面１２０を表示させる。
Ａ１０２：地区設定画面１２０の地区パターン表示欄１２１に表示されるＰ１〜Ｐ７の７つの地区パターンから、丁合を実行する地区パターンを選択する。
Ａ１０３：メインタブ９１をタッチして、図４のメイン画面１００を表示させる。メイン画面１００の地区情報表示欄１０１には、地区設定画面１２０で選択された地区パターンに含まれる地区のうちの１つの地区とその要丁合部数が表示される。チラシ名欄１０２には、Ａ３、Ａ５で割り当てた広告名称が表示される。棚モード表示欄１０３には、Ａ３、Ａ５で割り当てた広告名称に対応して反映された、またはＡ８、Ａ９で設定あるいは修正された使用不使用設定、連段設定が表示される。半端部数設定表示欄１０４には、Ａ３、Ａ５で割り当てた広告名称に対応して反映された、またはＡ８、Ａ９で設定あるいは修正された半端部数設定が表示される。表示された地区とは別の地区の丁合を行う場合は、地区選択キー１０９にタッチして、別の地区を選択する。地区情報表示欄１０１には、選択された地区の地区情報が表示され、チラシ名欄１０２、棚モード表示欄１０３、半端部数設定表示欄１０４には、上記と同様に選択された地区に設定された情報が表示される。
Ａ１０４：アウトキー１０５をタッチすると、地区の要丁合部数がカウンター１０６に入力される。
【００３６】
Ａ１０５：スタート操作を行うと、カウンター１０６に表示された要丁合部数、棚モード表示欄１０３に表示された使用不使用設定、連段設定、半端部数設定表示欄１０４に表示された半端部数設定を含む丁合処理の実行指示が制御部７０に送られる。制御部７０は、丁合処理の実行指示に含まれる情報にしたがって、各給紙部に給紙させる。すなわち、Ａ２において使用不使用設定、半端部数設定とともに登録された広告名称（用紙識別情報）がＡ３またはＡ５で割り当てられた給紙部には、Ａ８またはＡ９で設定が変更されていない限りは、割り当てられた広告名称に対応して記憶されている（Ａ２において設定した）使用不使用設定、半端部数設定の通りに給紙がなされる。なお、丁合処理中にストップ操作を行って丁合処理を停止させ、使用不使用、連段設定、半端部数の設定または取り消し、広告名称の変更を行うことができる。再度スタート操作を行うと、丁合処理が再開される。
Ａ１０６：丁合するたびにカウンター１０６の上段の残り部数が減算し、残り部数が０になると丁合処理が停止する。
【００３７】
Ａ１０７：地区情報表示欄１０１には、次の地区の地区名と要丁合部数が表示される。チラシ名欄１０２、棚モード表示欄１０３、半端部数設定表示欄１０４には、上記と同様に次の地区に設定された情報が表示される。「次の地区」とは、Ａ１０２において選択した地区パターンに設定されている各地区であって、かつまだ丁合作業を行っていない地区（以下、残地区という）のうち、Ａ１６において設定した順番が最先の地区（Ａ１６において順番が設定された地区が残地区において１つもない場合にあっては、地区番号が最も若い地区）である。これに対し、「次の地区」の情報が表示される直前に丁合作業が完了した地区を、「直前の地区」という。
Ａ１０８：アウトキー１０５をタッチすると、次の地区の要丁合部数がカウンター１０６に入力される。
【００３８】
Ａ１０９：スタート操作を行うと、カウンター１０６に表示された要丁合部数、棚モード表示欄１０３に表示された使用不使用設定、連段設定、半端部数設定表示欄１０４に表示された半端部数設定を含む「次の地区」の丁合処理の実行指示が制御部７０に送られる。すると制御部７０は丁合処理を実行する一部または全部の給紙部において、「直前の地区」に設定された広告名称と、「次の地区」に設定された広告名称とを給紙部ごとに比較し、相違しているか否かを給紙部ごとに判断する。この判断は、丁合い処理を実行する全部の給紙部において行ってもよいし、広告名称が地区により相違しうる給紙部をＡ１における設定が完了した時点であらかじめ特定しておき、その特定した給紙部にのみ判定を行ってもよい。判定の結果、判定を行った給紙部の全てにおいて、「直前の地区」に設定された広告名称と、「次の地区」に設定された広告名称とが一致していた場合は、制御部７０は、丁合処理の実行指示に含まれる情報にしたがって、各給紙部に給紙させ、次のＡ１１０に進む。すなわち、「次の地区」の丁合処理が開始される。判定の結果、「直前の地区」に設定された広告名称と、「次の地区」に設定された広告名称とが一致していない給紙部（以下、不一致給紙部という）が存在する場合は、該不一致給紙部において、「直前の地区」の丁合処理の完了以後に広告の載せ替えが行われたか否かを判定する。この判定は、判定対象の不一致給紙部において、「直前の地区」の丁合処理の完了以後に、該不一致給紙部の用紙有無検知センサ２７が、該不一致給紙部の給紙トレイ２６に広告が積載されていない非積載状態から、広告が積載されている積載状態への変化が起きた場合に、所定のフラグを変化させるなどして、該フラグの状態を参照することより、非積載状態〜積載状態への変化が起きたか否かを判断することによって行う。すなわち、「直前の地区」の丁合処理の完了以後に、非積載状態から積載状態への変化が少なくとも１回発生していれば、広告の載せ替えが行われたと判断する。「直前の地区」の丁合処理の完了以後に、非積載状態から積載状態への変化が１回も発生していなければ、広告の載せ替えが行われたと判断する。広告を載せ替える時、積載されていた広告を取り除くことによって非積載状態となったところに、新しい広告を積載することにより積載状態となることから、載せ替えによって非積載状態〜積載状態への変化が生じるからである。広告の載せ替えが行われたと判断された場合は、制御部７０は、丁合処理の実行指示に含まれる情報にしたがって、各給紙部に給紙させ、次のＡ１１０に進む。広告の載せ替えが行われていないと判断された場合は、制御部７０は、メイン操作部５０の表示部に、広告の載せ替えが行われていないと判断された給紙部の番号とともに、「広告を載せ替えてください」などのメッセージを表示して、ユーザに広告の載せ替えを促す載せ替え警告を行う。その後、スタート操作が行われた時、載せ替え警告表示後にユーザが広告の載せ替えを行ったか否かが、同様に非積載状態〜積載状態への変化が生じたか否かにより判定され、載せ替え警告を行った給紙部の全てにおいて載せ替えが行われたと判定した場合には各給紙部からの給紙を開始して次のＡ１１０に進み、載せ替えが行われていないと判定された給紙部が１つでも残っている場合は、各給紙部からの給紙を開始することなく、載せ替え警告を継続する。このような載せ替え警告を行うことにより、ユーザが広告の載せ替えを忘れて丁合ミスが発生する、ということがなくなる。
【００３９】
Ａ１１０：丁合するたびにカウンター１０６の上段の残り部数が減算し、残り部数が０になると丁合処理が停止する。地区情報表示欄１０１には、Ａ１１０において丁合処理が完了地区の、その次の地区の地区名と要丁合部数が表示される。
Ａ１１１：丁合が必要な残りの地区の数分だけ、Ａ１０８〜Ａ１１０を繰り返す。
【００４０】
Ａ１０９において、「直前の地区」が「停」設定であった給紙部については、「直前の地区」よりも前に、最後に給紙が行われた地区（以下、前回給紙地区という）に設定された広告名称と、「次の地区」に設定された広告名称との比較を行い、一致していない給紙部を不一致給紙部とするとともに、その不一致給紙部においては、広告の載せ替えが行われたか否かの判定は、「直前の地区」ではなく、「前回給紙地区」の丁合処理の完了以後に、非積載状態から積載状態への変化が起きたか否かで判断する。「直前の地区」が「停」の場合は、「直前の地区」においてその給紙部から給紙が行われていないのであるから、用紙の載せ替えは、「前回給紙地区」の丁合処理の完了以後、「直前の地区」の丁合処理中も含めて、いつ行ってもよいからである。
【００４１】
また、「次の地区」が初めての給紙である給紙部（それ以前の地区はいずれも「停」設定であった地区）については、広告名称の比較は行わない。また、「次の地区」が「停」設定であった場合も、広告名称の比較は行わない。
【００４２】
Ａ１０７またはＡ１１０において表示されている地区が次に丁合したい地区とは異なる場合、その都度、地区選択キー１０９によって地区を選択すれば、選択した地区の丁合を行うことができる。このように地区選択キー１０９によって「次の地区」を変更した場合は、変更後の「次の地区」と、「直前の地区」（あるいは「前回給紙地区」）について再度、広告名称の比較と、該比較の結果が不一致であった場合の広告の載せ替えの有無の判定、該判定により載せ替え無しと判定された場合の載せ替え警告を行う。
【００４３】
「直前の地区」（あるいは「前回給紙地区」）または「次の地区」の少なくともいずれか一方が連段グループに所属していた場合は、広告名称の比較は、各々の連段グループに設定された広告名称について行う。
【００４４】
なお本実施の形態では、広告名称の比較と、該比較の結果が不一致であった場合の広告の載せ替えの有無の判定、該判定により載せ替え無しと判定された場合の載せ替え警告を、「直前の地区」の丁合作業が完了し、「次の地区」の丁合処理のスタート操作を行ったときに行っているが、これに限らず、「直前の地区」の丁合い作業の完了以後、「次の地区」の丁合処理が始まるまでの間、いつ行ってもよい。たとえば、「直前の地区」の丁合い完了後、直ちに行ってもよい。
【００４５】
また本実施の形態では、載せ替え警告を、メイン操作部５０の表示部において行っているが、この形態に限らず、不一致であった給紙部のサブ操作部５２のエラーランプ５７を点灯させることにより行ってもよい。
【００４６】
＜部数指定カウンタモード＞
部数指定カウンタモードでは、要丁合部数を設定し、スタート操作を行うと丁合処理が開始され、設定された要丁合部数だけ丁合セットを作成して停止する。以下、部数指定カウンタモードで動作させる場合の操作（Ｂ１〜Ｂ４）について説明する。
【００４７】
（Ｂ１）給紙部への広告名称の割り当て（未割当の給紙部に割り当てる場合）
Ｂ１１：図４のメイン画面１００または他の操作画面において棚タブ９３をタッチして図１３の棚設定画面２８０を表示させる。
Ｂ１２：広告名称表示枠２８１をタッチすると、図８の広告名称割り当て画面１８０がポップアップ表示される。チラシ一覧１８１には、Ａ２で設定した広告名称が表示される。
Ｂ１３：Ａ３５〜Ａ３７と同様にして広告名称を割り当てる。なお、予めＡ２５、Ａ２６で設定した使用不使用設定、半端部数設定内容は反映されない。なお、予めＡ２５、Ａ２６において各地区に設定した各地区の使用不使用設定、半端部数設定内容の中から１つを選択し、選択した地区の設定が反映されるようにしてもよい。
【００４８】
なお、Ａ４と同様に広告名称を削除できる。また、Ａ５と同様に同一給紙部に広告名称を追加できる。ただしＡ２５、Ａ２６で設定した使用不使用設定、半端部数設定内容は反映されない（ある１つの地区に対する設定を選択して反映させてもよい）。また、Ａ７と同様に追加した広告名称を削除できる。
【００４９】
（Ｂ２）使用不使用設定の変更および連段設定
Ｂ２１：図１３の棚設定画面２８０において棚モード表示欄２８２の表示枠をタッチして使用不使用設定、連段設定を行う。なお、棚モード表示欄２８２をタッチした場合の動作は、図１０の地区別使用不使用設定画面２２０の棚モード表示欄２２２の表示枠をタッチした場合の動作（Ａ８４参照）と同様である。
【００５０】
（Ｂ３）半端部数設定
Ｂ３１：図１３の棚設定画面２８０において、設定対象の給紙部の半端部数設定表示枠２８３にタッチする。すると、図１１の半端部数設定画面２４０がポップアップ表示される。
Ｂ３２：Ａ９６〜Ａ９７と同様にして設定する。
Ｂ３３：閉じるボタン２４５にタッチすると半端部数設定画面２４０が消えて棚設定画面２８０に戻る。
【００５１】
（Ｂ４）丁合処理
Ｂ４１：いずれかの操作画面においてメインタブ９１をタッチして図４のメイン画面１００を表示させる。チラシ名欄１０２には、Ｂ１で割り当てた広告名称が表示される。棚モード表示欄１０３には、Ｂ２で設定された使用不使用設定、連段設定が表示される。半端部数設定表示欄１０４には、Ｂ３で設定された半端部数設定が表示される。
Ｂ４２：入力キー１０７をタッチしてテンキー（不図示）を表示させ、カウンター１０６に要丁合部数を入力する。
Ｂ４４：スタート操作を行うと、カウンター１０６に表示された要丁合部数、棚モード表示欄１０３に表示された使用不使用設定、連段設定、半端部数設定表示欄１０４に表示された半端部数設定を含む丁合処理の実行指示が制御部７０に送られる。制御部７０は、丁合処理の実行指示に含まれる情報にしたがって、各給紙部に給紙させる。Ｂ１３において広告名称を割り当てたとき、その広告名称に対応づけて記憶されている各地区の使用不使用設定、半端部数設定内容を選択し、選択した地区の設定が反映されるようにした場合は、反映された使用不使用設定、半端部数設定内容の通りに給紙がなされる。なお、丁合処理中にストップ操作を行って丁合処理を停止させ、使用不使用設定、連段設定、半端部数の設定または取り消し、広告名称の変更を行うことができる。再度スタート操作を行うと、丁合処理が再開される。
Ｂ４５：丁合するたびにカウンターが減算し、０になったらストップする。つまり、カウンター１０６に入力された要丁合部数の丁合セットを作成すると、丁合処理が停止する。なお、丁合処理中にストップ操作を行って丁合処理を停止させ、カウンタリセットキー１０８をタッチして残り部数を「０」にすることにより、実行中の丁合処理を停止（終了）させることができる。
地区カウンタモードを使用しないと設定した場合は、図４に示すメイン画面は、地区情報表示欄１０１およびアウトキー１０５を表示しない。
【００５２】
図１４は、制御部７０の機能構成を示すブロック図である。これら各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００５３】
制御部７０は、入力部７１と、給紙制御部７２と、搬送制御部７３と、挟み制御部７４と、排出制御部７５と、出力制御部７６と、記憶部７７と、用紙識別情報比較部７８と、用紙載せ替え判定部７９を含む。
【００５４】
入力部７１は、ユーザが入力した情報を、メイン操作部５０やサブ操作部５２を介して受け付ける。例えば、入力部７１は、図４〜１３の操作画面に入力・選択入力された情報、すなわち操作画面で設定された情報を受け付ける。具体的には、入力部７１は、丁合処理の実行指示、丁合処理の中止指示、半端部数、広告名称の割り当て、の入力を受け付ける。
【００５５】
給紙制御部７２は、使用不使用設定、連段設定、半端部数設定等にしたがって、給紙部１４が用紙を送り出すよう制御する。給紙制御部７２は特に、給紙部１４から送り出された用紙がメイン搬送機構３６において重なり合うようなタイミング用紙を送り出す。
【００５６】
搬送制御部７３は、サブ搬送機構３４およびメイン搬送機構３６による用紙の搬送を制御する。挟み制御部７４は、挟み用給紙部１６と、挟み部２０と、を制御する。具体的には、挟み制御部７４は、メイン搬送機構３６によって搬送される丁合セットが挟み部２０に到達する前に、挟み用紙がメイン搬送機構３６の下方に位置するよう挟み用給紙部１６に給紙させる。また、挟み制御部７４は、メイン搬送機構３６によって搬送されてきた丁合セットが挟み用紙に突き当たるタイミングで折りナイフ４２を下降させる。排出制御部７５は、排出部２２による丁合セットの排出を制御して、作成された丁合セットを積載部２４に積載させる。
【００５７】
記憶部７７は、予め用意された各種の設定情報や、入力部が受け付けた情報を記憶する。例えば、記憶部７７は、図８の各種広告名称（すなわち図１２を介して入力された広告名称）を記憶する。また例えば、図９の地区名称（すなわち図５を介して入力された地区名称広告名称）を記憶する。また例えば、記憶部７７は、図１２の各情報項目、すなわち広告名称、有効地区パターン、各地区の使用不使用設定、および各地区の半端部数設定を対応付けて記憶する。
【００５８】
また、記憶部７７は、同一の給紙設定（使用不使用設定、連段設定、半端部数設定）に基づいて丁合セットを作成する一連の丁合処理ごとに、各給紙部の使用不使用設定、連段設定、給紙部に割り当てられた広告名称および半端部数設定と、作成された丁合セットの部数とに関する情報（以下、「丁合実績情報」と呼ぶ）を記憶する。
【００５９】
出力制御部７６は、各種画面をメイン操作部５０の表示部に表示させる。例えば、出力制御部７６は、図４〜１３の各種の操作画面をメイン操作部５０の表示部に表示させる。また例えば、出力制御部７６は、載せ替え警告をメイン操作部５０の表示部に表示させる（あるいは、サブ操作部５２のエラーランプ５７を点灯させる）。
用紙識別情報比較部７８は、「直前の地区」の丁合処理が完了し、「次の地区」の丁合処理が開始される前に、「直前の地区」（あるいは、「前回給紙地区」）に設定されている広告名称と、「次の地区」に設定されている広告名称との比較を行い、一致しているか否かの判定を行う。
【００６０】
用紙載せ替え判定部７９は、用紙識別情報比較部７８により比較され、不一致と判定された給紙部について、「直前の地区」（あるいは、「前回給紙地区」）の丁合処理の完了以後に広告の載せ替えが行われたか否かを判定する。たとえば、「直前の地区」（あるいは、「前回給紙地区」の丁合処理の完了以後に、該不一致給紙部が非積載状態から積載状態への変化が少なくとも１回起きたか否かを、用紙有無検知センサ２７の検知結果を参照して判断する。
【００６１】
図１５は、４地区分の丁合処理の一例を示す図である。処理数欄３１１は、作成される丁合セットの地区ごとの部数である。トータルカウンタ欄３１２は、作成される丁合セットの累積部数である。地区パターン欄３１３は、選択された地区パターンである。地区番号欄３１４は、各地区の地区番号である。広告名称欄３１５は、各給紙部１４に割り当てられた広告名称（すなわち各給紙部１４に積載されるべき広告の広告名称）である。使用不使用表示欄３１６には、丁合セットが作成されたときの使用不使用設定である。図１５には図示していないが、地区１，２，３，４の順に丁合処理が行われるように、順番設定がされている。
【００６２】
図１５のように設定された情報に基づいて、地区１から４まで順次丁合処理を行ったとする。地区１の丁合処理が完了し、地区２のスタート操作を行う前、あるいは行ったときに、用紙識別情報比較部７８は、「直前の地区」である地区１に設定された広告名称と、「次の地区」である地区２に設定された広告名称とを、給紙部（段）ごとに比較し、相違しているか否かを給紙部ごとに判断する。地区１において設定されている広告名称と、地区２において設定されている広告名称が異なるのは、２段目のみである。すなわち２段目においては、地区１には「スーパーＬ」が設定され、地区２には「ラーメンＱ」が設定されている。１，３，４，６，１０，１１段については、地区２が「停」設定であるので、広告名称の比較判定は行わない。残りの段については、地区１に設定されている広告名称と、地区２に設定されている広告名称とが同一である。すなわち不一致給紙部は２段目のみである。
【００６３】
次に、用紙載せ替え判定部７９により、地区１の丁合処理の完了以後に、用紙有無検知センサ２７が、２段目において非積載状態から、積載状態への変化が少なくとも１回検知されたか否かを判断し、少なくとも１回検知されていれば載せ替えが行われたと判定し、１回も検知されていなければ、載せ替えが行われていないと判定する。広告の載せ替えが行われたと判断された場合は、地区２の丁合処理を開始する（あるいは所定のスタート操作により開始可能な状態とする）。
【００６４】
広告の載せ替えが行われていないと判断された場合は、メイン操作部５０の表示部に、「２段目の広告を、スーパーＬからラーメンＱに載せ替えてください」などのメッセージを表示することにより載せ替え警告を行う。その後、スタート操作が行われた時、２段目において載せ替え警告表示後にユーザが広告の載せ替えを行ったか否かが判定され、載せ替えが行われたと判定した場合は地区２の丁合処理に進み、載せ替えが行われていないと判定された場合は、地区２の丁合処理に進むことなく載せ替え警告を継続する。
【００６５】
次に、地区２の丁合処理が完了し、地区３のスタート操作を行う前、あるいは行ったときに、用紙識別情報比較部７８は、「直前の地区」である地区２に設定された広告名称と、「次の地区」である地区３に設定された広告名称とを、給紙部（段）ごとに比較し、相違しているか否かを給紙部ごとに判断する。地区２において設定されている広告名称と、地区３において設定されている広告名称が異なるのは、１４段目のみである。すなわち１４段目においては、地区２には「Ｄ電機」が設定され、地区３には「Ｎ不動産」が設定されている。１，３，４，６，９、１０，１１、１３段については、地区３が「停」設定であるので、広告名称の比較判定は行わない。残りの段については、地区２に設定されている広告名称と、地区３に設定されている広告名称とが同一である。すなわち不一致給紙部は１４段目のみである。
【００６６】
次に、用紙載せ替え判定部７９により、地区２の丁合処理の完了以後に、用紙有無検知センサ２７が、１４段目において非積載状態から、積載状態への変化が少なくとも１回検知されたか否かを判断し、少なくとも１回検知されていれば載せ替えが行われたと判定し、１回も検知されていなければ、載せ替えが行われていないと判定する。広告の載せ替えが行われたと判断された場合は、地区３の丁合処理を開始する（あるいは所定のスタート操作により開始可能な状態とする）。
【００６７】
広告の載せ替えが行われていないと判断された場合は、メイン操作部５０の表示部に、「１４段目の広告を、Ｄ電機からＮ不動産に載せ替えてください」などのメッセージを表示することにより載せ替え警告を行う。その後、スタート操作が行われた時、１４段目において載せ替え警告表示後にユーザが広告の載せ替えを行ったか否かが判定され、載せ替えが行われたと判定した場合は地区３の丁合処理に進み、載せ替えが行われていないと判定された場合は、地区３の丁合処理に進むことなく載せ替え警告を継続する。
【００６８】
次に、地区３の丁合処理が完了し、地区４のスタート操作を行う前、あるいは行ったときに、用紙識別情報比較部７８は、「直前の地区」である地区３に設定された広告名称と、「次の地区」である地区４に設定された広告名称とを、給紙部（段）ごとに比較し、相違しているか否かを給紙部ごとに判断する。地区３において設定されている広告名称と、地区４において設定されている広告名称が異なるのは、２，７段目である。すなわち２段目においては、地区３には「ラーメンＱ」が設定されている。地区４では連段グループ（１、２段）のうちの１つとして設定されており、該連段グループには「スーパーＬ」が設定されている。７段目においては、地区３には「Ｈ理容店」が設定され、地区４においては「レストランＴ］が設定されている。すなわち２．７段目は不一致給紙部である。
【００６９】
１段目においては、「直前の地区」である地区３が「停」設定であるので、「前回給紙地区」である地区１に設定されている広告名称との比較を行う。１段目においては、地区１には「宅配ピザＳ」が設定されている。地区４では連段グループ（１、２段）のうちの１つとして設定されており、該連段グループには「スーパーＬ」が設定されている。すなわち１段目も不一致給紙部である。
【００７０】
１３段目おいても、地区３が「停」設定であるので、「前回給紙地区」である地区２に設定されている広告名称との比較を行う。１３段目においては、地区２には「パチンコＣ」が設定され、地区４には「学習塾Ｐ」が設定されている。すなわち１３段目も不一致給紙部である。
【００７１】
３，４，５，６，９，１０，１１段については、地区４が「停」設定であるので、広告名称の比較判定は行わない。残りの段については、地区３に設定されている広告名称と、地区４に設定されている広告名称とが同一である。すなわち不一致給紙部は１，２，７，１３段目である。
【００７２】
次に、用紙載せ替え判定部７９は、２，７段目については地区３の丁合処理の完了以後、１段目については地区１の丁合処理の完了以後、１３段目については地区２の丁合処理の完了以後、各々、用紙有無検知センサ２７が、非積載状態から、積載状態への変化が少なくとも１回検知されたか否かを判断し、少なくとも１回検知されていれば載せ替えが行われたと判定し、１回も検知されていなければ、載せ替えが行われていないと判定する。広告の載せ替えが行われたと判断された場合は、地区４の丁合処理を開始する（あるいは所定のスタート操作により開始可能な状態とする）。
【００７３】
広告の載せ替えが行われていないと判断された給紙部が残っている場合は、メイン操作部５０の表示部に、広告の載せ替えが行われていないと判断された給紙部について、載せ替え警告を行う。その後、スタート操作が行われた時、載せ替え警告表示後にユーザが広告の載せ替えを行ったか否かが判定され、全ての給紙部で載せ替えが行われたと判定した場合は地区４の丁合処理に進み、載せ替えが行われていない給紙部が残っていると判定された場合は、地区４の丁合処理に進むことなく、まだ載せ替えが行われていない給紙部について載せ替え警告を継続する。
【００７４】
以上、実施の形態に係る丁合装置について説明した。この実施の形態は例示であり、各構成要素の組み合わせにいろいろな変形例が可能なこと、またそうした変形例も本発明の範囲にあることは当業者に理解されるところである。また、上述した実施の形態同士の組み合わせや上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。以下、そうした例を挙げる。
【００７５】
地区カウンタモードにおいて、広告名称を１つの地区の１つの給紙部に２種設定するとともに、その区切りの部数を設定可能としてもよい。この場合、区切りとなる部数の丁合が完了すると、装置が停止する。そして、装置の停止以後、再度スタート操作を行ったときまでに、用紙載せ替え判定部７９により、当該給紙部において、用紙の載せ替えが行われたか否かを判定し、載せ替えが行われていない場合に、載せ替え警告を行うようにする。
【００７６】
上記実施の形態では、用紙載せ替え判定部７９は、用紙の載せ替えが行われたか否かを、用紙有無検知センサ２７の検知情報に基づいて行っているが、この形態に限られない。たとえば、図１６．１７に示すように、給紙部１４の給紙トレイ２６に積載された広告の残量により、給紙ブラケット４０１の角度が変化するように構成し、この給紙ブラケットの端部に設けた検知板４１２を、反射センサ４１１が、用紙の残量が所定以上の場合にのみ検知するように構成し、この反射センサ４１１が、検知板４１２を検知していない状態から検知している状態への変化が、「直前の地区」あるいは「前回給紙地区」の丁合処理の完了以後に発生したか否かをもって、広告の載せ替えが行われたか否かを判定するようにしてもよい。
【００７７】
また、給紙ブラケット４０１の回動量を計測できるエンコーダ等を設け、給紙ブラケット４０１が、広告が積載量が増加した時の回動方向（図１６，１７における反時計方向）に所定量以上回動する動作が発生したか否かをもって、広告の載せ替えが行われたか否かを判定するようにしてもよい。
【００７８】
また、積載されている広告に印刷されたマークやバーコード、あるいはその他の印刷内容を撮像し、「直前の地区」あるいは「前回給紙地区」の丁合処理において積載されていた広告から、積載されている広告そのものが変化したか否かを判断することにより、広告の載せ替えが行われたか否かを判定するようにしてもよい。
【符号の説明】
【００７９】
１０  丁合装置、  １４  給紙部、  ７０  制御部、  ７１  入力部、  ７６  出力制御部、  ７８  用紙識別情報比較部、  ７９  用紙載せ替え判定部
【図１】
2019064822.tif 000003
【図２】
2019064822.tif 000004
【図３】
2019064822.tif 000005
【図４】
2019064822.tif 000006
【図５】
2019064822.tif 000007
【図６】
2019064822.tif 000008
【図７】
2019064822.tif 000009
【図８】
2019064822.tif 000010
【図９】
2019064822.tif 000011
【図１０】
2019064822.tif 000012
【図１１】
2019064822.tif 000013
【図１２】
2019064822.tif 000014
【図１３】
2019064822.tif 000015
【図１４】
2019064822.tif 000016
【図１５】
2019064822.tif 000017
【図１６】
2019064822.tif 000018
【図１７】
2019064822.tif 000019